(57)【要約】少くとも１つの送信器（Ｓ１，・・・ ，Ｓｎ ）と少くとも１つの受信装置（１）を備え、実効路（１２０）を介して伝送される信号（ＳＩＮ）が振巾、周波数及び／又は位相変調されてなる伝送システムの制御方法に関する。本発明によれば、コンフィギュレーションパラメータが制御路（１１０，・・・，１１３）を介して受信装置（１）に伝送される。制御路（１１０，・・・，１１３）を介する伝送は、実効路（１２０）を介する伝送から独立している。更に、伝送されたコンフィギュレーションパラメータに基づく調整が、特に実効路（１２０）を介して伝送される信号（ＳＩＮ）の復調を可能とするように、受信装置（１）において実施される。本発明は更に、上記方法の適用、伝送システム、受信装置及び補聴器に関する。
2004522333.tif 000002
【特許請求の範囲】
【請求項１】
少くとも１つの送信器（Ｓ１ ，・・・，Ｓｎ ）と少くとも１つの受信装置（１）を備え、実効路（１２０）を介して伝送される信号（ＳＩＮ）が振巾、周波数及び／又は位相変調されてなる伝送システムの制御方法において、コンフィギュレーションパラメータが制御路（１１０，・・・，１１３）を介して前記受信装置（１）に伝送され、前記制御路（１１０，・・・，１１３）を介する伝送は、前記実効路（１２０）を介する伝送から独立して実施されてなり、かつ、伝送された前記コンフィギュレーションパラメータに基づく調整が、特に前記実効路（１２０）を介して伝送された前記信号（ＳＩＮ）の復調を可能とするように、前記受信装置（１）において実施されてなることを特徴とする制御方法。
【請求項２】
前記制御路（１１０，・・・，１１３）を介して識別コードが伝送され、前記識別コードは前記受信装置（１）においてテストされ、かつ、
前記テストに基づいて、特に対応する前記コンフィギュレーションパラメータに従って、前記受信装置（１）における前記調整が実施されてなることを特徴とする請求項１記載の制御方法。
【請求項３】
前記受信装置（１）は、コンフィギュレーション制御装置（１０５）によってプログラムされ、かつ、そのプログラムデータの伝送は前記制御路（１１１）を介して実施されてなることを特徴とする請求項１又は２記載の制御方法。
【請求項４】
前記受信装置（１）からの情報が前記制御路（１１１）を介して前記コンフィギュレーション制御装置（１０５）に送られてなることを特徴とする請求項３記載の制御方法。
【請求項５】
１つ又は複数の識別コードが複数の前記受信装置（１）にアドレスされてなることを特徴とする請求項２ないし４のいずれかに記載の制御方法。
【請求項６】
前記信号（ＳＩＮ）の前記復調が前記コンフィギュレーションパラメータに基づいて、特に生成された周波数を用いて、少くとも１つの復調された信号（Ｓ，ＳＯＵＴ１，ＳＯＵＴ２，ＳＤＩＧＩＴＡＬ ）の生成のために実施され、かつ、前記復調された信号（Ｓ，ＳＯＵＴ１，ＳＯＵＴ２，ＳＤＩＧＩＴＡＬ ）は、更なる処理装置、特に補聴器（１００）及び／又は電子／音響トランスデューサに送られてなることを特徴とする請求項１ないし５のいずれかに記載の制御方法。
【請求項７】
前記送信器（Ｓ１ ，・・・，Ｓｎ ）の伝送関数のパラメータ、特に増巾及び伝送周波数、が前記制御路（１１０，・・・，１１３）を介して前記受信装置（１）に伝送され、これにより、前記送信器（Ｓ１ ，・・・，Ｓｎ ）及び前記受信装置（１）から生じる全伝送関数が前記受信装置（１）において修正され、かつ、前記受信装置（１）の伝送関数が所望の全伝送関数との関係において修正されてなることを特徴とする請求項１ないし６のいずれかに記載の制御方法。
【請求項８】
変調された前記信号（ＳＩＮ）を受信するために設けられたアンテナ（Ａ）がそれぞれの伝送周波数に同調されてなることを特徴とする請求項１ないし７のいずれかに記載の制御方法。
【請求項９】
前記制御路（１１０，・・・，１１３）を介する伝送は、ＦＳＫ（周波数偏移キー）変調によって実施されてなることを特徴とする請求項１ないし８のいずれかに記載の制御方法。
【請求項１０】
請求項１ないし９のいずれかに記載の制御方法を、送信器（Ｓ１ ，・・・，Ｓｎ ）から補聴器（１００）又は電子／音響トランスデューサに接続された少くとも１つの受信装置（１）に音声信号を伝送することに適用すること。
【請求項１１】
受信装置（１）と少くとも１つの送信器（Ｓ１ ，・・・，Ｓｎ ）を備え、振巾、周波数及び／又は位相変調された信号（ＳＩＮ）が前記送信器（Ｓ１ ，・・・，Ｓｎ ）の１つから前記受信装置（１）に伝送され、このために前記受信装置（１）はアンテナ（Ａ）を備えてなる無線による伝送システムにおいて、コンフィギュレーションパラメータの生成及び伝送のための手段（Ｓ１ ，・・・，Ｓｎ ；１０２，１０５，１０７）が設けられ、かつ、前記受信装置（１）には、前記コンフィギュレーションパラメータを受信し、処理する手段（１５）が設けられてなることを特徴とする伝送システム。
【請求項１２】
前記コンフィギュレーションパラメータを生成し、伝送する手段は、遠隔制御装置（１０７）、送信器（Ｓ１ ，・・・，Ｓｎ ）、ループアンテナ（１０１）に接続された制御装置（１０２）及び／又はコンフィギュレーション制御装置（１０５）内に設けられてなることを特徴とする請求項１１記載の伝送システム。
【請求項１３】
前記受信装置（１）は、補聴器（１００）又は電子／音響トランスデューサに接続されてなることを特徴とする請求項１１又は１２記載の伝送システム。
【請求項１４】
アンテナ（Ａ）を介して受信され、周波数及び／又は位相変調された信号（ＳＩＮ）の受信装置（１）であって、前記アンテナ（Ａ）はフィルター／増巾装置（２）とその後流のミキサー（３）とを介して復調信号（Ｓ，ＳＯＵＴ１，ＳＯＵＴ２，ＳＤＩＧＩＴＡＬ ）を生成する復調装置（４）に接続され、前記ミキサー（３）はまた合成装置（６）の出力信号をロードされ、かつ、前記合成装置（６）は制御装置（７）によって制御されるものにおいて、前記制御装置（７）にはコンフィギュレーションパラメータを受信及び／又は送信する手段（８、１６、１７）が設けられてなることを特徴とする受信装置。
【請求項１５】
前記コンフィギュレーションパラメータを受信及び／又は送信する手段は、トランシーバ装置（８）、送信／受信コイル（１５）及び前記送信／受信コイル（１５）を調整するコンデンサー（１６）を備えてなることを特徴とする請求項１４記載の受信装置。
【請求項１６】
前記フィルター／増巾装置（２）、ミキサー（３）、復調装置（４）、合成装置（６）及び制御装置（７）は、ＣＭＯＳ技術によるチップに集積された回路として実現されてなることを特徴とする請求項１４又は１５記載の受信装置。
【請求項１７】
請求項１４ないし１６のいずれかに記載の受信装置（１）を備えてなる補聴器。
【発明の詳細な説明】
【０００１】
本発明は、特許請求の範囲における請求項１の導入部に記載された伝送システムの制御方法並びにこの方法の適用、伝送システム、受信装置及び補聴器に関する。
【０００２】
極小型ＦＭ（周波数変調）伝送システムは、かなり以前から補聴器に使用されている。補聴器に関わる伝送システムは、基本的に、マイクロホンを有する送信部と受信部で構成される。受信部はできる限り小型かつ軽量に実現することが特に重要であり、こうすることにより、受信部を含む補聴器装置は使用者にとって装着し易いサイズのものとすることができる。
【０００３】
上述の形態の受信装置は、米国特許 ５，７３４，９７６により知られており、ここにおいて、伝送システムには搬送周波数がクォーツ結晶により固定的に設定されるＦＭ伝送方法が適用される。
【０００４】
この既知の方法には、搬送周波数の変更、従って伝送路の変更、を行うために、クォーツ結晶の取替が必要とされるという欠点がある。従ってこのシステムにおいては、異なる伝送路間の急な切替を行うことはできない。更に、この既知のシステムは、装置製造者にとっても、所定の短時間内に伝送路の変更を実施するために多数のクォーツ結晶を保管しなければならないという不具合がある。
【０００５】
従って、本発明は、伝送路を一方から他方へと急に切替えることを可能とする方法を提供することを課題とする。この場合、伝送路の切替が音声信号に対する干渉を引起すことは回避すべきである。
【０００６】
この課題は、請求項１の特徴部に記載された方法により解決される。本発明の好ましい実施の形態、方法の適用、伝送システム、受信装置及び補聴器は、その他の請求項に記載されている。
【０００７】
本発明は次の特徴を有する。即ち、受信装置において調整したコンフィギュレーションパラメータを、独立した別の制御路を介して受信装置に伝送するので、振巾、周波数及び／又は位相において変調した信号を一方から他方へ問題なく、かつ、干渉なく切替えることができる。伝送速度（Ｕｅｂｅｒｔｒａｇｕｎｇｓｒａｔｅ）が低いため、制御路は実効路（Ｎｕｔｚｋａｎａｌ） に比べて少電力で構成することができる。結果として、制御路のために何らの特別なオーソライズ手法を必要とせず、また、必要とされる構成品も特に経費を要せずに実現することができる。
【０００８】
更に、伝送された信号の復調のために必要とされる周波数を生成するために受信装置内に合成装置を用いることにより、使用された搬送周波数に対して特に急速かつ柔軟な適合が可能とされ、これによって、一方の実効路から他方への急な切替が確実に実施される。
【０００９】
以下において、本発明を添付の図を参照して例示的により詳しく説明する。
【００１０】
図１は、適用又は操作モードに対応する一連の構成部分を有する本発明による伝送システムを示す略式図である。
【００１１】
この伝送システムは、少くとも１つの送信器Ｓ１ ，・・・，Ｓｎ と、これに無線による接続（実効路１２０として示される）を介して接続された受信装置１を有する。本発明におけるように、伝送される信号が音声信号である場合は、この信号は、伝送に先立って、例えば既知の振巾、周波数及び／又は位相変調方法により、搬送周波数としての変調が実施される。自明ではあるが、実効路１２０は使用される送信出力及び搬送周波数に応じて、長距離送信や建物貫通の程度が左右される。適用可能な既知の変調方法は、例えば「エレクトロニクス技術者ハンドブック」〔ドナルド・クリスタンセン（Ｄｏｎａｌｄ Ｃｈｒｉｓｔａｎｓｅｎ）編、第４版、マグローヒル出版、第１８章〕に説明されている。
【００１２】
ｎ個の送信器Ｓ１ ，・・・，Ｓｎ が設けられている場合は、伝送すべき種々の音声信号を互いに異なる搬送周波数において変調し、受信装置１においてそれぞれの搬送周波数に対応する同調が実施されることを条件として、受信領域において種々の音声信号を受信することが可能となる。ｎ個の送信器Ｓ１ ，・・・，Ｓｎ に代えて、複数の、好ましくはｎ個の伝送路を付与された１つの送信器のみを設けることも考えられる。本発明の原理は、このような送信形態の変形をも含んでいる。以下において、ｎ個の送信器Ｓ１ ，・・・，Ｓｎ について述べる場合は、１つのみ又は複数の送信器の双方を意味している。
【００１３】
送信器Ｓ１ ，・・・，Ｓｎ の１つに対して、即ち、特定の音声信号に対して受信装置１の同調を実施するために、本発明の伝送システムは、制御路１１０、１１１、１１２、１１３を備えており、これにより、それぞれの送信器Ｓ１ ，・・・，Ｓｎ に対応するコンフィギュレーションパラメータを受信装置１に伝送する。この目的のために、送信器Ｓ１ ，・・・，Ｓｎ はコンフィギュレーションパラメータを生成し、伝送する対応手段を内蔵により又は別個の装置として備えている。この装置は、選択的に制御装置１０２及び／又は遠隔制御装置１０７とすることができる。制御路のための受信装置１と制御装置１０２又は遠隔制御装置１０７との間の接続は、同様に無線による接続とすることができ、これは図１においてそれぞれ符号１１０及び１１２で示されている。送信器Ｓ１ ，・・・，Ｓｎ がコンフィギュレーションパラメータの生成及び伝送を行う対応手段を内蔵している場合は、これらのパラメータは制御路１１３を介して受信装置１に伝送される。なお、図１に示すように種々の制御路（符号１１０〜１１３参照）が考えられるが、伝送速度や搬送周波数といったそれらの仕様は、同じ１つの伝送システムについては不変であることが好ましいので、伝送技術の面では、これらの制御路は同じ１つの伝送路として扱われる。
【００１４】
本発明の好ましい実施の形態においては、制御路のためにＦＳＫ（周波数偏移キー）変調が実施され、この場合、伝送速度は１、２８０ビット／ｓ、及び経路中央周波数は４０、６９０ｋＨｚである。
【００１５】
特定の搬送周波数に対する、従って任意の音声信号に対する切替と同調は、本発明においてはそれ自体として受信装置１においては実施されず、これらは好ましくは制御路１１０、１１２、１１３の１つを使用して実施される。本発明による伝送システムの好ましい実施の形態においては、音声信号のために使用される実効路１２０は、他の情報の伝送には使用されない。一方では、この特徴により、受信装置１において手動調整を実施する必要性なしに一方の音声信号から他方への切替を行うことが可能となり、また他方では本発明による伝送システムの広い応用を可能とする以下に説明するような受信装置１の遠隔制御を可能とする。
【００１６】
更に、本発明による伝送システムにおいては、コンフィギュレーション制御装置１０５が設けられ、これにより、再び無線による接続１１１（制御路）を介して受信装置１とこれに接続された更なる構成部分のコンフィギュレーション／プログラムを制御することができる。コンフィギュレーション段階において受信装置１はコンフィギュレーション制御装置１０５の近くに配置することができるので、接続１１１に対する要件は対応的に少くなる。即ち、少い送信出力により満足のいくデータ伝送を実施することができる。このことは、図１に示すように接続１１１が双方向接続であり、かつ、特に受信装置１の極小化の実現のために受信装置１においては非常に小さな電力しか利用できないので、特に重要である。
【００１７】
一方、受信装置１のプログラムのための入力及び処理手段として、一般に入手できるＰＣ（パーソナルコンピュータ）のような計算装置１０６が設けられる。
これにより、特に新しいプログラムドライバーを受信装置にロードすることによって、全体の伝送システムを管理することができる。逆方向伝送の手段によって、例えば、受信装置１のバージョンデータがコンフィギュレーション制御装置１０５を介して計算装置１０６に伝送され、更に処理される。
【００１８】
図１に示す実施の形態においては、受信装置１には補聴器１００が着脱可能に結合されている。無線による信号伝送に関するすべての機能は受信装置１において実施される。音声信号の伝送及び制御信号の伝送において信号伝送速度及び伝送距離に関わる種々の要件に対応するため、受信装置１には２つのアンテナシステム、即ち、音声信号用アンテナＡと制御信号用のより小型サイズの受信コイルが設けられる。
【００１９】
図１に示すように、制御装置１０２は一方ではループアンテナ１０１に、他方では入力／計算装置１０３に接続される。この入力／計算装置１０３は、再び簡単なデータ入力のために使用され、好ましくは一般的なＰＣで構成される。この場合、制御装置１０２と入力／計算装置１０３との間の通信は、例えば標準化されたＵＳＢ（ユニバーサル・シリーズ・バス）インターフェイスを介して実施される。
【００２０】
ループアンテナ１０１に接続された制御装置１０２は、わずかな送信出力により受信装置１に制御信号を伝送することに使用され、また、遠隔制御装置１０７は、同様にわずかな送信出力による短い距離における制御信号の伝送に使用される。種々の実施の形態を、それぞれの適用態様に応じて以下に説明する。
【００２１】
本発明の主たる適用態様は、受信装置１が補聴器１００に結合された場合の伝送システムに関する。この場合、潜在的な補聴器使用者は、聴力障害者に限定されず、通常の聴力保持者をも含むものである。
【００２２】
本発明において重要なことは、本発明による受信装置１に結合された補聴器１００の使用者が、所望の音声信号を受信して聞き取るために、どの経路に対して、即ち、時により、どの搬送周波数に対して自己の装置を調整すべきなのか、又は、どのような信号処理を実施すべきなのか、について煩わされることがないということ、である。これは、これらの手間が、受信装置１において、受信コイル１５によって受信されるコンフィギュレーションパラメータに基づいてコンフィギュレーション制御が実施されることによって解消されるからである。必要とされるコンフィギュレーションパラメータは、制御装置１０２又は遠隔制御装置１０７又は送信器Ｓ１ ，・・・，Ｓｎ の１つから汎用的な通信接続、即ち、それぞれの制御路１１０、１１２、１１３を介して受信装置１に直接伝送され、いずれの場合にも、伝送される音声信号に対する干渉は生じない。短距離にのみ適用されるこれらの制御路１１０、１１２、１１３は、国際的規格に合致する搬送周波数において自らの変調プロセスを実施する。欧州における適用の場合は、規格ＥＮ  ３００  ３３０（無線通信装置及びシステム−ＲＥＳ；９ｋＨｚ〜２５ｋＨｚの無線通信装置用短距離装置技術特性及びテスト方法、並びに９ｋＨｚ〜３０ｋＨｚの周波数範囲の誘導ループシステム）及び米国における適用の場合は、規格４７  ＣＦＲ（連邦規制コード）（電気通信ＦＣＣ部門１５、サブ部門Ｃ：インテンショナル・ラジエータ）が引用される。
【００２３】
本発明による好ましい実施の形態においては、次のパラメータが制御路１１０、１１２又は１１３を介して伝送される：
・所望の音声信号の搬送周波数；
・受信装置１を完全にオフに切替える切替信号；
・受信した音声信号を補聴器内のマイクロホン信号に重ね合わせる切替信号；
・音声信号をオフに切替えるミュート・コマンド；
・受信した音声信号の音量の制御信号。
【００２４】
専ら制御路１１０〜１１３を介して伝送されるすべての又は個々のコンフィギュレーションパラメータに基づいて、受信装置１は対応するコンフィギュレーション制御を実施される。
【００２５】
図１から理解されるように、制御路１１０〜１１３は以下のように使用される：
第一の場合として、本発明による伝送システムにおいて補聴器１００に結合された受信装置１を、遠隔制御装置１０７を介して使用者が制御する。
【００２６】
第二の場合として、ループアンテナ１０１に接続された制御装置１０２によって制御が行われる。これは、各使用者ないしは各使用者の受信装置１が、ループアンテナ１０１の範囲内、即ち受信領域内において、それぞれのコンフィギュレーションパラメータを送られる場合である。各使用者には１つ又は複数のコードが割当てられ、これによって各使用者は単独又はグループにおいてアドレスされる。このような伝送システムは、主として学校の分野で用いられ、この場合、特に伝送路（搬送周波数、等）に関して何らの知識も必要としないという事実の故に、自動調整によるすべての利点が適用される。更なる使用は、集会場、例えば会議場、教会又は鉄道駅におけるものが考えられる：即ち、この伝送システムが設けられた集会場に入場次第、補聴器における受信装置は自動的にこの集会場の伝送路に同調させられる。
【００２７】
この点に関して、更なる実施の形態においては、補聴器の代りに、単なる電子／音響トランスデューサが受信装置に結合される。この場合は、通常補聴器によって提供される種々の機能は利用不可となる。
【００２８】
第三の場合として、制御路が受信装置の記憶装置に記憶されるべきデータの伝送のために使用される。即ち、受信装置ないしはその記憶装置を制御路を介してプログラムすることができる。
【００２９】
本発明による好ましい実施の形態においては、１つの又は複数の送信器Ｓ１ ，・・・，Ｓｎ が、制御信号を生成する１つの送信装置を有するか、又は、送信器Ｓ１ ，・・・，Ｓｎ が、コンフィギュレーションパラメータを送信する。送信されるコンフィギュレーションパラメータは識別を行うコードを高められ、これに基づいて、明白にアドレスされた受信装置１がコンフィギュレーションパラメータに基づく対応する調整を実施される。
【００３０】
図２は、図１に示すような補聴器１００に着脱可能に結合される本発明による受信装置１の機能ブロック線図である。
【００３１】
アンテナＡにより、周波数及び／又は位相変調信号ＳＩＮが受信され、先ずこれがフィルター／増巾装置２に入力される。フィルター／増巾装置２は、外部に接続された調整装置１９によって所望の周波数帯に同調させられる。フィルター／増巾装置２の出力は、ミキサー３の入力に接続される。ミキサー３の第二の入力は、以下に説明する合成装置６の出力信号を入力される。ミキサー３の後流には復調装置４が接続され、この復調装置４とミキサー３との協働により復調信号Ｓが生成される。復調信号Ｓは次いで、制御装置７によって調整される増巾装置５に入力される。増巾装置５において調整された出力信号ＳＯＵＴ１及びＳＯＵＴ２は、直接的にスピーカ又は補聴器（図２には図示省略）に送られる。
【００３２】
本発明による受信装置１の実施の形態の変形においては、Ｉ２ Ｓインターフェイス装置１３が増巾装置５に接続される。Ｉ２ Ｓインターフェイス装置１３は、ディジタル式３線式バスの制御用インターフェイス装置である。この点に関して本発明と同じ出願人の国際特許出願ＰＣＴ／ＣＨ９９／００００９（公開番号ＷＯ  ９９／１３６９９）が引用される。この出願は、本発明の出願の不可分の一体を構成している。Ｉ２ Ｓインターフェイス装置１３は、ディジタル出力を有し、これを介してディジタル音声信号ＳＤＩＧＩＴＡＬ が例えば補聴器１００（図１）に直接送られる。
【００３３】
更に、音声発生装置１４が設けられる。この装置１４は、増巾装置５に接続されて、信号Ｓに重ね合わせられるべき信号を生成する。これにより、受信装置１における特定的状況、例えばバッテリー充電の減少、標準搬送周波数の設定、等が、音声により使用者に通知される。対応する制御信号を受けるために、音声発生装置１４は、以下に説明される制御装置７に接続される。
【００３４】
符号１５は、図１に関しても説明されたトランシーバコイルを示しており、このコイル１５が分離された制御路を介してコンフィギュレーションパラメータを受信する。アンテナとして働くこのトランシーバコイル１５の同調のために、このコイル１５に直列コンデンサー１６が接続される。このコンデンサー１６は可変式であることが好ましい。トランシーバコイル１５とコンデンサー１６はトランシーバ装置８に接続され、一方トランシーバ装置８は制御装置７に接続される。
【００３５】
制御装置７は、実際的に受信装置１の制御センターとなり、上述の機器類、即ち、増巾装置５、音声発生装置１４及びトンラシーバ装置８を制御する他、更に、ミキサー３において使用される混合周波数を生成する合成装置６、受信装置１におけるエネルギー収支をモニターし、最適化するモニター装置１０を制御する。これにより、最も長期かつ満足のいく操作が保証される。
【００３６】
制御装置７は、この装置７にバスシステムを介して接続された記憶装置１１から連続的制御及びその他に関わるデータを受取る。記憶装置１１は、不揮発性かつプログラム可能なもので、例えばＥＥＰＲＯＭ（電気的消去可能プログラム可能読出し専門メモリー）である。既に知られているように、このようなメモリーのプログラムには、その他の機器に通常必要とされるものよりも高い電圧が要求される。そのため、コンデンサー１８を有する電圧倍率器９が設けられる。これにより、基本電源の電圧の数倍高い電圧が得られる。
【００３７】
図２に示すように、殆どの機器は破線で囲まれた範囲内に納められている。これらの機器は、好ましくは、ＣＭＯＳ（相補型金属酸化物半導体）技術を使用して１つのチップに集積化される。その他の、コンデンサー１８、アンテナＡ、トランシーバコイル１５、調整装置１９、合成装置６に接続されたクォーツ部材２０及び調整装置２１、等の機器は、集積回路の外部に設けられ、対応する端子を介して集積回路に接続される。また、記憶装置１１は、集積回路の外側に設けられる。これは、この記憶装置１１が経験的に激しい技術的負荷を受け、そのため他の機器よりも平均的に短い寿命となっているためである。
【００３８】
受信装置１には使用者によって操作できる単一のスイッチ１７が設けられ、これによって例えば次の機能を実施することができる：
・スイッチ１７を短く閉じることにより、次のような操作モードが互いの間において切替えられる：「音声信号の伝送」、「音声信号とマイクロホン信号との重ね合わせ」及び「音声信号なし」（トグル切替モード）。
・スイッチ１７を長く閉じることにより、音声信号を受信して周波数帯の走査を実施する（走査モード）。
・スイッチ１７をより長く閉じることにより、受信装置１の接続は解除される。再度スイッチ１７を閉じることにより、受信装置１は再び接続される。
【００３９】
上記の機能及びそれらの切替は、対応的に遠隔制御装置１０７、送信器Ｓ１ ，・・・，Ｓｎ 又は必要に応じて制御装置１０２（図１参照）によっても実施することができる。
【００４０】
受信装置１内でのエネルギー消費を最少とするために、モニター装置１０により実施されるものに加えて、復調器４内にも手段が設けられる。即ち、復調器４において音声信号をこれ以上受信しないことが認識され次第、増巾装置５を自動的に抑制する手段である。この時、制御装置７と増巾装置５は接続ＳＱを介して信号を入力され、これによって伝送された音声信号ＳＩＮを復調する機器は付勢を解除することができる。結果として、受信装置１におけるエネルギー消費の所望の減少が達成される。同時に、あらゆる干渉ノイズが減少されて、後流の補聴器１００（図１）には何らの干渉ノイズも伝送されない。
【００４１】
図３は、図１に示すループアンテナ１０１に接続された制御装置１０２の機能ブロック線図である。制御装置１０２は実質的にマイクロコンピュータ２００から成る。このマイクロコンピュータ２００には、放射状に、記憶装置２０４、入力／出力装置２０３、表示装置２０２、変調装置２０１及びインターフェイス装置２０５が接続されている。インターフェイス装置２０５は、ＵＳＢ型バスシステムを駆動するものであることが好ましい。
【００４２】
本発明による更なる実施の形態においては、実効路の伝送関数を修正するデータが受信装置１に送られる。このための修正データは、実効路の所望の全伝送関数を未修正の全伝送関数に基づいて評価することにより決定される。これにより、元来の全伝送関数について望まないあらゆる特性を修正することが可能となる。
【００４３】
なお、本発明による受信装置及び伝送システムは補聴器に適用するものについて説明したが、本発明の適用はこれに限定されることなく、実効路の制御を必要とする任意の適用範囲に有利に用いることが可能である。
【図面の簡単な説明】
【図１】
本発明による受信装置を有する伝送システムを示す略式図。
【図２】
図１の受信装置に関わる機能ブロック線図。
【図３】
図１の伝送システムに使用される制御装置に関わる機能ブロック線図。
【国際公開パンフレット】
2004522333.tif 000003
2004522333.tif 000004
2004522333.tif 000005
2004522333.tif 000006
2004522333.tif 000007
2004522333.tif 000008
2004522333.tif 000009
2004522333.tif 000010
2004522333.tif 000011
2004522333.tif 000012
2004522333.tif 000013
2004522333.tif 000014
2004522333.tif 000015
2004522333.tif 000016
2004522333.tif 000017
2004522333.tif 000018
2004522333.tif 000019
2004522333.tif 000020
2004522333.tif 000021
2004522333.tif 000022
2004522333.tif 000023
2004522333.tif 000024
2004522333.tif 000025
2004522333.tif 000026
2004522333.tif 000027
2004522333.tif 000028
【国際調査報告】
2004522333.tif 000029
2004522333.tif 000030
2004522333.tif 000031
2004522333.tif 000032
2004522333.tif 000033
2004522333.tif 000034